(57)【要約】【課題】本発明は、冷媒の過冷却度を、室外熱交換器及びタワー水−冷媒熱交換器によって得られる過冷却度よりも大きくできる空調機を提供する。【解決手段】空調機は、圧縮機６、室内熱交換器１３、及び室外熱交換器８を接続し、冷媒を流す主経路５と、クーリングタワー４を流れるタワー水と冷媒との間で熱交換を行うＴＲ熱交換器３と、主経路５から分岐し且つ圧縮機６に冷媒を戻すバイパス経路１１１と、バイパス経路１１１上に設けられるＳＣ膨張弁１１２とを備えており、バイパス経路１１１を流れる冷媒を膨張させることにより主経路５を流れる冷媒を冷却する過冷却器１１と、室外熱交換器８と室内熱交換器１３との間の主経路５を、冷房運転においてＴＲ熱交換器３を過冷却器１１の上流に配置する第１経路、又は冷房運転においてＴＲ熱交換器３を過冷却器１１の下流に配置する第２経路に、切り替える切替機構１０と、を備えている。【選択図】図１
2013178019.tif 000002
【特許請求の範囲】
【請求項１】
クーリングタワーを有する空調機において、
圧縮機、室内熱交換器、及び室外熱交換器を接続し、冷媒を流す主経路と、
前記クーリングタワーを流れる前記タワー水と前記冷媒との間で熱交換を行うタワー水−冷媒熱交換器と、
前記主経路から分岐し且つ前記圧縮機に前記冷媒を戻すバイパス経路と、前記バイパス経路を流れる前記冷媒を膨張させる膨張弁と、膨張した前記冷媒と前記主経路を流れる前記冷媒との間で熱交換を行う熱交換器と、を備える過冷却器と、
前記室外熱交換器と前記室内熱交換器との間の前記主経路を、冷房運転において前記タワー水−冷媒熱交換器を前記過冷却器の上流に配置する第１経路、又は前記冷房運転において前記タワー水−冷媒熱交換器を前記過冷却器の下流に配置する第２経路に、切り替える切替機構と、を備えている、ことを特徴とするクーリングタワーを有する空調機。
【請求項２】
前記切替機構は、前記室外熱交換器と前記室内熱交換器との間の前記主経路を、前記第１経路、前記第２経路、又は前記過冷却器を通過し且つ前記タワー水−冷媒熱交換器を通過しない第３経路に切り替える、請求項１に記載のクーリングタワーを有する空調機。
【請求項３】
前記切替機構は、第１四方弁及び第２四方弁を備えており、
前記第１四方弁は、前記室外熱交換器を前記タワー水−冷媒熱交換器及び前記過冷却器の一方に接続し、且つ前記タワー水−冷媒熱交換器及び前記過冷却器の他方を前記第２四方弁に接続し、
前記第２四方弁は、前記室内熱交換器を前記タワー水−冷媒熱交換器及び前記過冷却器の一方に接続し、且つ前記タワー水−冷媒熱交換器及び前記過冷却器の他方を前記第１四方弁に接続する、請求項１又は２に記載のクーリングタワーを有する空調機。
【請求項４】
前記圧縮機と前記室外熱交換器との間で前記冷媒の圧力を検出する圧力検出器と、
前記圧力に基づいて前記切替機構を制御する第１制御装置と、を備えており、
前記圧力が所定の上限圧力以上である場合に、前記第１制御装置は前記切替機構に前記第１経路を選択させ、
前記圧力が所定の上限圧力未満である場合に、前記第１制御装置は前記切替機構に前記第２経路を選択させる、請求項１−３のいずれか１つに記載のクーリングタワーを有する空調機。
【請求項５】
クーリングタワーを有する空調機において、
圧縮機、室内熱交換器、及び室外熱交換器を接続し、冷媒を流す主経路と、
前記クーリングタワーを流れる前記タワー水と前記冷媒との間で熱交換を行うタワー水−冷媒熱交換器と、
前記主経路から分岐し且つ前記圧縮機に前記冷媒を戻すバイパス経路と、前記バイパス経路を流れる前記冷媒を膨張させる膨張弁と、膨張した前記冷媒と前記主経路を流れる前記冷媒との間で熱交換を行う熱交換器と、を備える過冷却器と、を備えており、
前記タワー水−冷媒熱交換器及び前記過冷却器は、前記室外熱交換器と前記室内熱交換器との間の前記主経路に配置されている、ことを特徴とするクーリングタワーを有する空調機。
【発明の詳細な説明】
【技術分野】
【０００１】
本発明は、クーリングタワーを有する空調機に関する。
【背景技術】
【０００２】
特許文献１は、クーリングタワーを有する空調機を開示している。図１及び００２７段落に示されるように、この空調機は、クーリングタワーで冷却されたタワー水と冷媒との間で熱交換を行うタワー水−冷媒熱交換器を備えている。タワー水−冷媒熱交換器は室外熱交換器の下流側に配置されており、冷媒の過冷却器として機能する。
【先行技術文献】
【特許文献】
【０００３】
【特許文献１】特開２００６−２８４０８３号公報
【発明の概要】
【発明が解決しようとする課題】
【０００４】
室外熱交換器及びタワー水−冷媒熱交換器による過冷却では冷却能力が不足し、冷房負荷に対応できない場合がある。そこで本発明は、冷媒の過冷却度を、室外熱交換器及びタワー水−冷媒熱交換器によって得られる過冷却度よりも大きくできる空調機を提供する。
【課題を解決するための手段】
【０００５】
本発明に係るクーリングタワーを有する空調機は、クーリングタワーを有する空調機において、圧縮機、室内熱交換器、及び室外熱交換器を接続し、冷媒を流す主経路と、前記クーリングタワーを流れる前記タワー水と前記冷媒との間で熱交換を行うタワー水−冷媒熱交換器と、前記主経路から分岐し且つ前記圧縮機に前記冷媒を戻すバイパス経路と、前記バイパス経路を流れる前記冷媒を膨張させる膨張弁と、膨張した前記冷媒と前記主経路を流れる前記冷媒との間で熱交換を行う熱交換器と、を備える過冷却器と、前記室外熱交換器と前記室内熱交換器との間の前記主経路を、冷房運転において前記タワー水−冷媒熱交換器を前記過冷却器の上流に配置する第１経路、又は前記冷房運転において前記タワー水−冷媒熱交換器を前記過冷却器の下流に配置する第２経路に、切り替える切替機構と、を備えている。
【０００６】
前記空調機において、前記切替機構は、前記室外熱交換器と前記室内熱交換器との間の前記主経路を、前記第１経路、前記第２経路、又は前記過冷却器を通過し且つ前記タワー水−冷媒熱交換器を通過しない第３経路に切り替える。
【０００７】
前記空調機において、前記切替機構は、第１四方弁及び第２四方弁を備えており、前記第１四方弁は、前記室外熱交換器を前記タワー水−冷媒熱交換器及び前記過冷却器の一方に接続し、且つ前記タワー水−冷媒熱交換器及び前記過冷却器の他方を前記第２四方弁に接続し、前記第２四方弁は、前記室内熱交換器を前記タワー水−冷媒熱交換器及び前記過冷却器の一方に接続し、且つ前記タワー水−冷媒熱交換器及び前記過冷却器の他方を前記第１四方弁に接続する。
【０００８】
前記空調機は、前記圧縮機と前記室外熱交換器との間で前記冷媒の圧力を検出する圧力検出器と、前記圧力に基づいて前記切替機構を制御する第１制御装置と、を備えており、前記圧力が所定の上限圧力以上である場合に、前記第１制御装置は前記切替機構に前記第１経路を選択させ、前記圧力が所定の上限圧力未満である場合に、前記第１制御装置は前記切替機構に前記第２経路を選択させる。
【０００９】
本発明に係るクーリングタワーを有する空調機は、クーリングタワーを有する空調機において、圧縮機、室内熱交換器、及び室外熱交換器を接続し、冷媒を流す主経路と、前記クーリングタワーを流れる前記タワー水と前記冷媒との間で熱交換を行うタワー水−冷媒熱交換器と、前記主経路から分岐し且つ前記圧縮機に前記冷媒を戻すバイパス経路と、前記バイパス経路を流れる前記冷媒を膨張させる膨張弁と、膨張した前記冷媒と前記主経路を流れる前記冷媒との間で熱交換を行う熱交換器と、を備える過冷却器と、を備えており、前記タワー水−冷媒熱交換器及び前記過冷却器は、前記室外熱交換器と前記室内熱交換器との間の前記主経路に配置されている。
【発明の効果】
【００１０】
本発明に係る空調機は、冷媒の過冷却度を、室外熱交換器及びタワー水−冷媒熱交換器によって得られる過冷却度よりも大きくできる。
【図面の簡単な説明】
【００１１】
【図１】図１は、空調機のブロック図である。
【図２】図２は、凝縮利用運転における冷媒の流れを示す空調機のブロック図である。
【図３】図３は、過冷却利用運転における冷媒の流れを示す空調機のブロック図である。
【図４】図４は、暖房運転における冷媒の流れを示す空調機のブロック図である。
【図５】図５は、空調機のブロック図である。
【図６】図６は、空調機のブロック図である。
【発明を実施するための形態】
【００１２】
（第１実施形態の構成）
図１−４を参照して、第１実施形態に係る空調機を説明する。
【００１３】
図１は、空調機のブロック図である。空調機は、冷媒回路１、タワー水回路２、及びタワー水−冷媒熱交換器（ＴＲ熱交換器）３を備えている。冷媒回路１は、冷媒を循環させるヒートポンプである。タワー水回路２はタワー水を冷却するクーリングタワー４を備えており、タワー水はタワー水回路２を循環する。ＴＲ熱交換器３は、タワー水と冷媒との間で熱交換を行う。
【００１４】
冷媒回路１は、主経路５、圧縮機６、四方弁７、室外熱交換器８、室外膨張弁９、切替機構１０、過冷却器１１、室内膨張弁１２、室内熱交換器１３、液管継手１４、ガス管継手１５、吐出圧力センサ１６、コントローラ１７、及び操作装置１８を備えている。切替機構１０は、第１四方弁１０１及び第２四方弁１０２を備えている。
【００１５】
主経路５は、吐出経路５１、吸入経路５２、ＴＲ経路５３、接続経路５４、及びＲＲ経路５５を備えている。吐出経路５１及び吸入経路５２は、圧縮機６と四方弁７とを接続している。吐出経路５１は、圧縮機６から四方弁７に冷媒を送り出す。吸入経路５２は、四方弁７から圧縮機６に冷媒を戻す。ＴＲ経路５３、接続経路５４、及びＲＲ経路５５は、第１四方弁１０１と第２四方弁１０２とを接続している。ＴＲ熱交換器３は、ＴＲ経路５３上に配置されている。過冷却器１１は、ＲＲ経路５５上に配置されている。
【００１６】
圧縮機６は主経路５に冷媒を流す。
【００１７】
四方弁７は、主経路５を流れる冷媒の方向を冷房方向ＤＣ又は暖房方向ＤＨに切り替える運転切替機構である。四方弁７は、冷房運転において、吐出経路５１と室外熱交換器８とを接続し、吸入経路５２と室内熱交換器１３とを接続する。このとき冷媒は、冷房方向ＤＣに主経路５を流れる。また、四方弁７は、暖房運転において、吐出経路５１と室内熱交換器１３とを接続し、吸入経路５２と室外熱交換器８とを接続する。このとき冷媒は、暖房方向ＤＨに主経路５を流れる。
【００１８】
室外熱交換器８は、屋外に配置されており、外気と冷媒との間で熱交換を行う。室外熱交換器８は、室外ファン８ａを備えている。室外膨張弁９は、室外熱交換器８と第１四方弁１０１との間に配置されており、暖房運転において室外熱交換器８に流れる冷媒を膨張させる。
【００１９】
室内熱交換器１３は、室内に配置されており、室内空気と冷媒との間で熱交換を行う。室外熱交換器８は、室内ファン１３ａを備えている。室内膨張弁１２は、室内熱交換器１３と第２四方弁１０２との間に配置されており、冷房運転において室内熱交換器１３に流れる冷媒を膨張させる。
【００２０】
液管継手１４及びガス管継手１５は、室外側に属する主経路５と、室内側に属する主経路５とを接続している。液管継手１４は、第２四方弁１０２と室内膨張弁１２との間に位置している。ガス管継手１５は、室内熱交換器１３と四方弁７との間に位置している。
【００２１】
切替機構１０は、室外熱交換器８と室内熱交換器１３との間の主経路５を、第１経路、第２経路、又は第３経路に切り替える。第１経路及び第２経路のどちらも、ＴＲ経路５３、接続経路５４、ＲＲ経路５５を含んでいる。第１経路及び第２経路の間で、経路５３、５４、及び５５を接続する順番が変更されている。第１経路は、冷房方向ＤＣにおいてＴＲ熱交換器３を過冷却器１１の上流に配置する。第２経路は、冷房方向ＤＣにおいてＴＲ熱交換器３を過冷却器１１の下流に配置する。第３経路は、ＲＲ経路５５のみを含んでいる。第３経路は、過冷却器１１を通過し、且つＴＲ熱交換器３を通過しない。
【００２２】
切替機構１０は、上述したように、第１四方弁１０１及び第２四方弁１０２により構成されている。第１四方弁１０１及び第２四方弁１０２はそれぞれ、四方弁７と同様の構成を有している。第１四方弁１０１は、室外熱交換器８をＴＲ熱交換器３及び過冷却器１１の一方に接続し、且つＴＲ熱交換器３及び過冷却器１１の他方を第２四方弁１０２に接続する。第２四方弁１０２は、室内熱交換器１３をＴＲ熱交換器３及び過冷却器１１の一方に接続し、且つＴＲ熱交換器３及び過冷却器１１の他方を第１四方弁１０１に接続する。
【００２３】
過冷却器１１は、主経路５から分岐し且つ圧縮機６に冷媒を戻すバイパス経路１１１と、バイパス経路１１１を流れる冷媒を膨張させるＳＣ膨張弁１１２と、膨張した冷媒と主経路５を流れる冷媒との間で熱交換を行うＳＣ熱交換器１１３と、を備えている。過冷却器１１は、バイパス経路１１１を流れる冷媒を膨張させることにより、主経路５を流れる冷媒を冷却する。つまり、過冷却器１１は、凝縮器から蒸発器に送るための冷媒の一部を利用して、蒸発器に送られる残りの冷媒を冷却する。
【００２４】
吐出圧力センサ１６は、吐出経路５１を通過する冷媒の圧力を検出する。
【００２５】
タワー水回路２は、主経路２０、タワー水ポンプ２１、散水器２２、充填剤２３、及び水槽２４を備えている。ＴＲ熱交換器４は、主経路２０上に配置されており、タワー水ポンプ２１と散水器２２との間に位置する。クーリングタワー４は、散水器２２、充填剤２３、及び水槽２４によって構成されている。
【００２６】
コントローラ１７は、圧縮機６、四方弁７、室外ファン８ａ、室外膨張弁９、切替機構１０（第１四方弁１０１、第２四方弁１０２）、過冷却器１１のＳＣ膨張弁１１２、室内膨張弁１２、室内ファン１３ａ、及びタワー水ポンプ２１を制御する。
【００２７】
操作装置１８は、ユーザーによる操作に基づいて、空調機を操作するための指令をコントローラ１７に入力する。
【００２８】
図２−４を参照して、空調機の運転を説明する。空調機は、冷房運転及び暖房運転を実行できる。冷房運転は、凝縮利用運転及び過冷却利用運転を含んでいる。
【００２９】
ＴＲ熱交換器３及び過冷却器１１は、冷房運転において冷媒を冷却する。冷媒の冷却によって凝縮及び過冷却が発生するので、ＴＲ熱交換器３及び過冷却器１１は、室外熱交換器８と同様に凝縮器且つ過冷却器として機能できる。ただし、過冷却器１１は、自己の液冷媒の一部をＳＣ膨張弁１１２で膨張させることによって残りの液冷媒を冷却するので、過冷却器１１の冷却性能を維持するには、過冷却器１１に供給される冷媒が完全に液化していることが必要である。つまり、過冷却器１１は、純粋な凝縮器には適していない。一方、ＴＲ熱交換器３は、クーリングタワー４によって冷却されたタワー水を用いて冷媒を冷却する。このため、ＴＲ熱交換器３は、凝縮器にも過冷却器にも適している。そこで、室外熱交換器８における冷媒の凝縮が不完全である場合、空調機は、冷媒を、室外熱交換器８の次にＴＲ熱交換器３に通過させ、その次に過冷却器１１に通過させる。具体的には、コントローラ１７が切替機構１０に第１経路を選択させ、主経路５に沿って室外熱交換器８、ＴＲ熱交換器３、及び過冷却器１１を順に配置する。つまり、ＴＲ熱交換器３が凝縮器として利用される。これが、図２に示される凝縮利用運転である。逆に、室外熱交換器８における冷媒の凝縮が完全である場合、空調機は、冷媒を、室外熱交換器８の次に過冷却器１１に通過させ、その次にＴＲ熱交換器３に通過させる。具体的には、コントローラ１７が切替機構１０に第２経路を選択させ、主経路５に沿って室外熱交換器８、過冷却器１１、及びＴＲ熱交換器３を順に配置する。つまり、ＴＲ熱交換器３が過冷却器として利用される。これが、図３に示される過冷却利用運転である。なお、室外熱交換器８における冷媒の凝縮が完全である場合、第２経路による過冷却の方が第１経路による過冷却よりも効率が良い場合が存在する。このため、室外熱交換器８における冷媒の凝縮が完全である場合、第２経路が選択されるように設定されている。
【００３０】
室外熱交換器８における冷媒の凝縮が完全であるか否かは、次のように特定される。室外熱交換器８における冷媒の液化が不十分である場合、冷媒の状態は、液冷媒にガス冷媒が混じった状態にある。この場合、圧縮機６から室外熱交換器８までの主経路５における冷媒圧力が低下しにくくなる。このため、冷媒圧力の大きさに基づいて、凝縮が完全であるか否かが特定される。この冷媒圧力が所定の上限圧力以上である場合、凝縮が不完全であり、この冷媒圧力が上限圧力未満である場合、凝縮が完全である。この冷媒圧力は、吐出圧力センサ（圧力検出器）１６によって検出される。冷房運転の実行が指令されているときに、コントローラ１７（第１制御装置）は、検出された冷媒圧力に基づいて、凝縮利用運転又は過冷却利用運転を選択する。
【００３１】
図２は、凝縮利用運転における冷媒の流れを示す空調機のブロック図である。凝縮利用運転は冷房運転であるので、四方弁７は、吐出経路５１と室外熱交換器８とを接続しており、吸入経路５２と室内熱交換器１３とを接続している。また、室内膨張弁１２が冷媒を膨張させるように、室外膨張弁９の開度が最大の開度に保たれ、室内膨張弁１２の開度が所定の微小な開度に保たれる。凝縮利用運転では、切替機構１０は第１経路を選択する。また、ＳＣ膨張弁１１２が冷媒を膨張させるように、ＳＣ膨張弁１１２の開度は所定の微小な開度に保たれる。このため、冷媒は、室外熱交換器８から、ＴＲ熱交換器３及び過冷却器１１を順に通過し、室内膨張弁１２及び室内熱交換器１３へと流れる。一部の冷媒は、過冷却器１１から吸入経路５２へ流れる。冷媒は、室外熱交換器８及びＴＲ熱交換器３において凝縮され、過冷却器１１において過冷却される。
【００３２】
図３は、過冷却利用運転における冷媒の流れを示す空調機のブロック図である。過冷却利用運転は冷房運転であるので、四方弁７は、吐出経路５１と室外熱交換器８とを接続しており、吸入経路５２と室内熱交換器１３とを接続している。また、室内膨張弁１２が冷媒を膨張させるように、室外膨張弁９の開度が最大の開度に保たれ、室内膨張弁１２の開度が所定の微小な開度に保たれる。過冷却利用運転では、切替機構１０は第２経路を選択する。また、ＳＣ膨張弁１１２が冷媒を膨張させるように、ＳＣ膨張弁１１２の開度は所定の微小な開度に保たれる。このため、冷媒は、室外熱交換器８から、過冷却器１１及びＴＲ熱交換器３を順に通過し、室内膨張弁１２及び室内熱交換器１３へと流れる。一部の冷媒は、過冷却器１１から吸入経路５２へ流れる。冷媒は、室外熱交換器８において凝縮され、過冷却器１１及びＴＲ熱交換器３において過冷却される。
【００３３】
第１実施形態では、コントローラ１７が、吐出圧力センサ１６によって検出された冷媒圧力に基づいて、凝縮利用運転及び過冷却利用運転の切替を実行している。この構成に代えて、冷媒圧力の検出値及びコントローラ１７の制御を用いることなく、ユーザーが手動で凝縮利用運転及び過冷却利用運転の切替を実行してもよい。ユーザーは、操作装置１８の操作により、切替機構１０に第１経路又は第２経路を選択させる。ユーザーは、空調機の設計性能、使用される温度環境などの使用条件に基づいて、凝縮利用運転及び過冷却利用運転の切替を判断する。
【００３４】
図４は、暖房運転における冷媒の流れを示す空調機のブロック図である。暖房運転では、四方弁７は、吐出経路５１と室内熱交換器１３とを接続しており、吸入経路５２と室外熱交換器８とを接続している。また、室内膨張弁１２が冷媒を膨張させるように、室内膨張弁１２の開度が最大の開度に保たれ、室外膨張弁９の開度が所定の微小な開度に保たれる。また、切替機構１０は第３経路を選択する。暖房運転では、室内熱交換器１３と室外熱交換器８との間における過冷却は、室内熱交換器１３において熱交換される熱量に影響しない。このため、過冷却器１１が機能しないように、ＳＣ膨張弁１１２の開度は最大の開度に保たれる。また、タワー水回路２の運転は停止されている。冬季には、水槽２４内のタワー水も排出されている。このため、冷媒は、室内熱交換器１３から、過冷却器１１を通過し、室外膨張弁９及び室外熱交換器８へと流れる。冷媒は、室内熱交換器１３において凝縮及び過冷却される。
【００３５】
（第２実施形態の構成）
図５を参照して、第２実施形態に係る空調機を説明する。図５は、空調機のブロック図である。第２実施形態に係る空調機は、切替機構１０を備えておらず、室外熱交換器８と室内熱交換器１３との間の主経路５は第１経路に決定されている。このため、第２実施形態に係る空調機は、冷房運転として凝縮利用運転のみを実行できる。また、凝縮利用運転及び過冷却利用運転の切替が実行されないので、吐出圧力センサ１６は設けられておらず、コントローラ１７は対応する制御を実行しない。他の点は、第１実施形態と第２実施形態との間で同一である。
【００３６】
（第３実施形態の構成）
図６を参照して、第３実施形態に係る空調機を説明する。図６は、空調機のブロック図である。第３実施形態に係る空調機は、切替機構１０を備えておらず、室外熱交換器８と室内熱交換器１３との間の主経路５は第２経路に決定されている。このため、第３実施形態に係る空調機は、冷房運転として過冷却利用運転のみを実行できる。また、凝縮利用運転及び過冷却利用運転の切替が実行されないので、吐出圧力センサ１６は設けられておらず、コントローラ１７は対応する制御を実行しない。他の点は、第１実施形態と第３実施形態との間で同一である。
【００３７】
（本実施形態の効果）
本実施形態に係る空調機は、上述の構成により、次の効果を有する。
【００３８】
（１）第１実施形態に係る空調機は、主経路５、ＴＲ熱交換器（タワー水−冷媒熱交換器）３、過冷却器１１、及び切替機構１０を備えている。
【００３９】
冷媒は、室外熱交換器８、ＴＲ熱交換器３、及び過冷却器１１によって冷却される。このため、第１実施形態に係る空調機は、冷媒の過冷却度を、室外熱交換器８及びＴＲ熱交換器３によって得られる過冷却度よりも大きくできる。
【００４０】
また、切替機構１０は、ＴＲ熱交換器３及び過冷却器１１を冷媒が通過する順序を変更する。ここで、第１経路における凝縮能力は、第２経路における凝縮能力よりも優れている。凝縮が不完全に行われる場合、過冷却器１１は良好に機能しないので、冷却能力が低下する。このため、室外熱交換器８における凝縮が不完全に行われる場合、第１経路における空調能力は、第２経路における空調能力よりも高い。一方、空調機の設計性能や温度環境などの使用条件のため、第２経路における過冷却能力が第１経路における過冷却能力よりも高い場合がある。このような使用条件で室外熱交換器８における凝縮が完全に行われる場合、第２経路における空調能力は、第１経路における空調能力よりも高い。このため、第１実施形態に係る空調機は、状況に応じて、第１経路と第２経路とを切り替えることにより、空調能力を最大限確保できる。
【００４１】
（２）第１実施形態に係る空調機において、切替機構１０は、第１経路、第２経路、又は第３経路を選択できる。
【００４２】
このため、第１実施形態に係る空調機は、冷房運転だけでなく暖房運転を実行できる。
【００４３】
（３）切替機構１０は、第１四方弁１０１及び第２四方弁１０２を備えている。
【００４４】
冷房及び暖房の切替に用いられる四方弁を流用することによって、切替機構１０が構成される。このため、第１実施形態に係る空調機は、切替機構１０に要するコストを低減できる。
【００４５】
切替機構１０が第１経路又は第２経路の選択のみを行う場合、切替機構１０は２つの四方弁の代わりに、２つの三方弁を用いて構成されても良い。
【００４６】
（４）第１実施形態に係る空調機は、吐出圧力センサ（圧力検出器）１６と、冷媒の圧力に基づいて切替機構１０を制御するコントローラ（第１制御装置）１７とを備えている。
【００４７】
凝縮が完全に行われている場合、圧力の上昇は抑制されるが、凝縮が不完全に行われている場合、圧力が上昇する。圧力が所定の上限圧力を超えないように、第１経路及び第２経路の切替が実行される。つまり、室外熱交換器８における凝縮が不完全である可能性が高い場合に、第１経路が自動的に選択され、室外熱交換器８における凝縮が完全である可能性が高い場合に、第２経路が自動的に選択される。このため、第１実施形態に係る空調機は、空調能力を最大限確保できる。
【００４８】
（５）第１−３実施形態に係る空調機は、主経路５、ＴＲ熱交換器（タワー水−冷媒熱交換器）３、及び過冷却器１１を備えている。
【００４９】
冷媒は、室外熱交換器８、ＴＲ熱交換器３、及び過冷却器１１によって冷却される。このため、第１−３実施形態に係る空調機は、冷媒の過冷却度を、室外熱交換器８及びタワー水−冷媒熱交換器３によって得られる過冷却度よりも大きくできる。
【符号の説明】
【００５０】
３  ＴＲ熱交換器（タワー水−冷媒熱交換）
４  クーリングタワー
５  主経路
６  圧縮機
８  室外熱交換器
１０  切替機構
１１  過冷却器
１３  室内熱交換器
１６  吐出圧力センサ（圧力検出器）
１７  コントローラ（第１制御装置）
１０１  第１四方弁
１０２  第２四方弁
１１１  バイパス経路
１１２  ＳＣ膨張弁
【図１】
2013178019.tif 000003
【図２】
2013178019.tif 000004
【図３】
2013178019.tif 000005
【図４】
2013178019.tif 000006
【図５】
2013178019.tif 000007
【図６】
2013178019.tif 000008